(57)【要約】【課題】蓋体が付勢部材の付勢力により開いて機器本体に当接した際のバウンドや衝突音を抑制する電子機器を提供する。【解決手段】電子機器は、機器本体に対して、互いに同軸配置される一対の回動軸を介して開閉方向に回動可能に支持される蓋体と、捩りバネと圧縮バネの機能を有し、機器本体と蓋体とにそれぞれ係合する捩りバネの付勢力により蓋体を開き方向に回動させ、圧縮バネの付勢力により一対の回動軸を軸方向のそれぞれ逆の方向に付勢して機器本体に対して軸方向に当接させる付勢部材と、を含む。一対の回動軸の各々は、付勢部材により一対の回動軸の軸方向に付勢されることで機器本体に対して当接している。【選択図】図１１
2020188492.tif 000002
【特許請求の範囲】
【請求項１】
機器本体に対して、互いに同軸配置される一対の回動軸を介して開閉方向に回動可能に支持される蓋体と、捩りバネと圧縮バネの機能を有し、前記機器本体と前記蓋体とにそれぞれ係合する前記捩りバネの付勢力により前記蓋体を開き方向に回動させ、前記圧縮バネの付勢力により前記一対の回動軸を軸方向のそれぞれ逆の方向に付勢して前記機器本体に対して軸方向に当接させる付勢部材と、を備える電子機器であって、
前記一対の回動軸の各々は、前記付勢部材により前記一対の回動軸の軸方向に付勢されることで前記機器本体に対して当接していることを特徴とする電子機器。
【請求項２】
前記機器本体には、ユーザが把持するグリップ部が正面側に突出して設けられ、
前記蓋体は、前記グリップ部の内部に形成された電池収納部の開口を開閉可能に覆うことを特徴とする請求項１に記載の電子機器。
【請求項３】
前記一対の回動軸の軸方向の中点と前記蓋体の重心とは、前記軸方向に離れて配置されていることを特徴とする請求項２に記載の電子機器。
【請求項４】
前記機器本体は、前記蓋体が開いた際に前記蓋体が当接する第１の当接部、及び第２の当接部を有し、前記第１の当接部は、前記蓋体の重心に近い側に配置されて、その高さが前記第２の当接部より低いことを特徴とする請求項３記載の電子機器。
【請求項５】
前記一対の回動軸のうち、前記蓋体の重心に近い側の回動軸の方が前記機器本体に軸方向に当接する面積が大きいことを特徴とする請求項３又は４に記載の電子機器。
【請求項６】
前記一対の回動軸のうち、前記蓋体の重心に近い側の回動軸は、前記蓋体と一体に形成され、前記蓋体の重心から遠い側の回動軸は、前記蓋体と別体に設けられて前記蓋体に対して軸方向に移動可能であることを特徴とする請求項３乃至５のいずれか一項に記載の電子機器。
【請求項７】
前記一対の回動軸のうち、前記蓋体の重心に近い側の回動軸は、前記蓋体と別体に設けられて前記蓋体に対して軸方向に移動可能であり、前記蓋体の重心から遠い側の回動軸は、前記蓋体と一体に形成されていることを特徴とする請求項３乃至５のいずれか一項に記載の電子機器。
【請求項８】
前記捩りバネは、前記機器本体に係合する突出部を有し、
前記突出部は、前記軸方向に移動可能な前記回動軸を軸方向に移動させたとき、前記蓋体に設けられたカム部の始端から終端に沿って移動可能に設けられ、
前記突出部が前記カム部の前記終端に移動したとき、前記突出部の前記機器本体に対する係合が解除されることを特徴とする請求項６又は７に記載の電子機器。
【請求項９】
前記機器本体には、レンズユニットが装着され、前記機器本体の内部には、前記レンズユニットの撮影光学系を通過した被写体光束を結像させて光電変換する撮像素子が設けられていることを特徴とする請求項１乃至８のいずれか一項に記載の電子機器。
【請求項１０】
前記一対の回動軸の中心軸は、前記レンズユニットの光軸と平行に配置されていることを特徴とする請求項９に記載の電子機器。
【発明の詳細な説明】
【技術分野】
【０００１】
本発明は、例えばデジタルカメラ等の撮像装置を含む電子機器に関し、特に電子機器の電池蓋等の蓋体構造に関する。
【背景技術】
【０００２】
デジタルカメラ等の電子機器では、例えば、図１４に示すように、不図示の電池収納部の開口を開閉可能に覆う電池蓋１０を備えるものがある（特許文献１）。この電池蓋１０は、不図示のカメラ本体に対して回動軸１０ａ、１１を介して開閉方向に回動可能に支持されて、閉じ状態で不図示のロック機構によりロックされ、ロック状態では、付勢バネ１２等により開き方向に付勢されている。
【０００３】
従って、ロックを解除することで、電池蓋１０が付勢バネ１２の付勢力により開き方向に回動し、カメラ本体の外装カバーに当接して所定の開き角度で停止する。また、電池蓋１０は、電池収納部にバッテリーグリップ等の比較的大型の外部電源装置を装着した際に、外部電源装置との干渉を避けるため、カメラ本体から取り外せるようになっている。
【先行技術文献】
【特許文献】
【０００４】
【特許文献１】特開２０１１−０５５０６５号公報
【発明の概要】
【発明が解決しようとする課題】
【０００５】
上記特許文献１では、電池蓋１０の重心Ｇ１と回動軸１１の中心軸Ｋ１方向の中点Ａ１と間に軸方向に距離Ｌ１を有するため、付勢バネ１２の付勢力で電池蓋１０が開いて外装カバーに当接した際に、電池蓋１０の姿勢が安定せず、バウンドが収束しにくくなる。また、電池蓋１０が開いて外装カバーに当接した際に、衝突音が生じ、特に外装カバーが金属製の場合には、衝突音が大きくなってしまう。
【０００６】
そこで、本発明は、蓋体が付勢部材の付勢力により開いて機器本体に当接した際のバウンドや衝突音を抑制することができる電子機器を提供することを目的とする。
【課題を解決するための手段】
【０００７】
上記目的を達成するために、本発明の電子機器は、機器本体に対して、互いに同軸配置される一対の回動軸を介して開閉方向に回動可能に支持される蓋体と、捩りバネと圧縮バネの機能を有し、前記機器本体と前記蓋体とにそれぞれ係合する前記捩りバネの付勢力により前記蓋体を開き方向に回動させ、前記圧縮バネの付勢力により前記一対の回動軸を軸方向のそれぞれ逆の方向に付勢して前記機器本体に対して軸方向に当接させる付勢部材と、を備える電子機器であって、前記一対の回動軸の各々は、前記付勢部材により前記一対の回動軸の軸方向に付勢されることで前記機器本体に対して当接していることを特徴とする。
【発明の効果】
【０００８】
本発明によれば、蓋体が付勢部材の付勢力により開いて機器本体に当接した際のバウンドや衝突音を抑制することができる。
【図面の簡単な説明】
【０００９】
【図１】（ａ）は本発明の電子機器の第１の実施形態であるデジタル一眼レフカメラを正面側から見た図、（ｂ）は（ａ）に示すデジタル一眼レフカメラを底面側から見た図である。
【図２】電池蓋が開いた状態のデジタル一眼レフカメラを底面側から見た斜視図である。
【図３】電池蓋を裏面側から見た図である。
【図４】電池蓋の分解斜視図である。
【図５】図１（ｂ）のＵ−Ｕ線断面図である。
【図６】電池蓋をカメラ本体から取り外す際の電池蓋の状態を示す図である。
【図７】電池蓋をカメラ本体から取り外す際の付勢バネの動作を説明する図である。
【図８】底面カバーに対する押さえ部材の取り付け構造をカメラ本体の内部側から見た分解斜視図である。
【図９】図２のＱ−Ｑ線断面図である。
【図１０】（ａ）は電池蓋を取り外した状態をカメラ本体の底面側から見た斜視図、（ｂ）は電池蓋を閉じた状態での図２のＱ−Ｑ線断面図である。
【図１１】図１（ｂ）のＲ−Ｒ線断面図である。
【図１２】本発明の電子機器の第２の実施形態であるデジタル一眼レフカメラにおいて、電池蓋が開き方向に回動して停止した際の状態をカメラ本体の底面側から見た斜視図である。
【図１３】本発明の電子機器の第３の実施形態であるデジタル一眼レフカメラにおいて、電池蓋を裏面側から見た図である。
【図１４】従来の電池蓋を説明する図である。
【発明を実施するための形態】
【００１０】
以下、図面を参照して、本発明の実施形態を説明する。
【００１１】
（第１の実施形態）
図１（ａ）は本発明の電子機器の第１の実施形態であるデジタル一眼レフカメラ（以下、カメラ）を正面側（被写体側）から見た図、図１（ｂ）は図１（ａ）に示すカメラを底面側から見た図である。
【００１２】
本実施形態のカメラは、図１に示すように、カメラ本体１０１の正面側に交換式のレンズユニット１０２が着脱可能に装着されている。レンズユニット１０２の撮影光学系を通過した被写体光束は、カメラ本体１０１に設けられた不図示の撮像素子に結像して光電変換される。カメラ本体１０１の正面側から見てレンズユニット１０２の左側には、ユーザが把持するグリップ部１０３が設けられている。
【００１３】
グリップ部１０３の内部には、カメラ本体１０１の底面に開口する電池収納部１０３ａ（図２参照）が形成され、電池収納部１０３ａの開口は、電池蓋１１０により開閉可能に覆われている。カメラ本体１０１は、本発明の機器本体の一例に相当し、電池蓋１１０は、本発明の蓋体の一例に相当する。
【００１４】
電池蓋１１０は、図１（ｂ）に示す閉じ状態では、付勢バネ１１４（図２参照）により開き方向に付勢された状態で後述するロック機構によりロックされて閉じ状態が維持されている。このとき、電池蓋１１０の表面は、底面カバー１０４とともにカメラ本体１０１の底面側の外装を形成している。そして、係止解除レバー１１１ａを操作して電池蓋１１０のロックを解除することで、電池蓋１１０が付勢バネ１１４の付勢力により開方向に回動し、底面カバー１０４に当接して所定の開き角度で停止する。
【００１５】
図２は、電池蓋１１０が開いた状態のカメラを底面側から見た斜視図である。図２に示すように、グリップ部１０３は、カメラ本体１０１の正面側に突出して形成され、グリップ部１０３の内部には、電池１０５が挿脱可能に挿入される電池収納部１０３ａが設けられている。電池収納部１０３ａに挿入された電池１０５は、係止片１０６により係止されて飛出しが規制され、係止片１０６をカメラ本体１０１の正面側に回動させることにより、電池１０５の係止が解除されて、電池収納部１０３ａに対する電池１０５の挿脱が可能となる。
【００１６】
次に、図３乃至図８を参照して、電池蓋１１０について詳しく説明する。図３は、電池蓋１１０を裏面側から見た図、図４は、図３に示す電池蓋１１０の分解斜視図である。
【００１７】
図３及び図４において、蓋カバー１１０ａは、電池蓋１１０の外形を形成する。係止爪１１１には、バネ軸１１１ｂが形成されている。係止爪１１１は、バネ軸１１１ｂに係止バネ１１２を図４の矢印Ｂ方向に挿入した状態で蓋カバー１１０ａに取り付けられる。係止バネ１１２は、圧縮バネで構成され、蓋カバー１１０ａのバネ収納溝１１０ｃに圧縮状態で収納されて係止爪１１１を付勢する。なお、係止バネ１１２は、圧縮バネを用いているが、係止爪１１１を付勢するものであれば、その他の付勢手段を用いてもよい。
【００１８】
軸部材１１３は、蓋カバー１１０ａと別体に設けられ、蓋カバー１１０ａに対して軸方向に移動可能な第１の回動軸１１３ａを有し、第１の回動軸１１３ａは、蓋カバー１１０ａと一体で形成される第２の回動軸１１０ｂと同軸配置される。第１の回動軸１１３ａと第２の回動軸１１０ｂにより一対の回動軸を構成している。
【００１９】
電池蓋１１０は、カメラ本体１０１の正面側に突出するグリップ部１０３の形状に対応する形状を有するため、図３に示すように、電池蓋１１０の重心Ｇ２と一対の回動軸１１３ａ，１１０ｂの中心軸Ｋ２方向の中点Ａ２と間に軸方向に距離Ｌ２を有することになる。中心軸Ｋ２は、レンズユニット１０２の光軸と平行に配置されている。
【００２０】
軸部材１１３には、バネ軸１１３ｂが形成されている。軸部材１１３は、バネ軸１１３ｂに付勢バネ１１４を図４の矢印Ｃ方向に挿入した状態で、蓋カバー１１０ａに取り付けられる。具体的には、軸部材１１３の嵌合部１１３ｃが蓋カバー１１０ａの嵌合穴１１０ｄに嵌合されると共に、バネ軸１１３ｂに挿入された付勢バネ１１４の固定端１１４ａが、蓋カバー１１０ａの収納溝１１０ｅに収納される。付勢バネ１１４は、固定端１１４ａと反対側の端部に突出部１１４ｂを有し、突出部１１４ｂが底面カバー１０４の後述する突出部１０４ｃ（図１０参照）に係合して電池蓋１１０を開き方向に付勢する。付勢バネ１１４は、本発明の付勢部材の一例に相当する。
【００２１】
内側カバー１１５は、３本のビス１１６ａ〜１１６ｃによって蓋カバー１１０ａに締結される。内側カバー１１５には、穴部１１５ａが形成されており、穴部１１５ａには、軸部材１１３の移動レバー１１３ｄが挿通配置される。
【００２２】
図５は、図１（ｂ）のＵ−Ｕ線断面図である。図５に示すように、電池蓋１１０が閉じた状態では、係止解除レバー１１１ａに設けられた係止爪１１１が底面カバー１０４の係止部１０４ｈに係止されることで、電池蓋１１０の閉じ状態が維持されている。係止爪１１１と係止部１０４ｈによってロック機構を構成している。電池蓋１１０の係止を解除する際は、係止解除レバー１１１ａを図５の矢印Ｅ方向に操作することで、係止爪１１１と係止部１０４ｈとの係止が解除され、電池蓋１１０が付勢バネ１１４の付勢力により開き方向に回動する。
【００２３】
次に、図６乃至図８を参照して、カメラ本体１０１に対する電池蓋１１０の着脱について説明する。図６は、電池蓋１１０をカメラ本体１０１から取り外す際の電池蓋１１０の状態を示す図である。なお、電池蓋１１０の取り外しは、バッテリーグリップ等の比較的大型の外部電源装置（不図示）などを電池収納部１０３ａに装着した際に、電池蓋１１０と外部電源装置とが干渉するのを避けるために行う。
【００２４】
付勢バネ１１４は、圧縮バネと捩りバネの機能を有し、軸部材１１３を常に図６の矢印Ｃ方向に付勢している。また、軸部材１１３は、移動レバー１１３ｄを付勢バネ１１４の付勢力に抗して図６の矢印Ｄ方向に操作すると、図３の位置から図６の二点鎖線で示す位置に移動する。すなわち、第１の回動軸１１３ａが蓋カバー１１０ａに対して突出していない状態となる。これにより、電池蓋１１０をカメラ本体１０１から取り外すことが可能となる。
【００２５】
次に、図７は、電池蓋１１０をカメラ本体１０１から取り外す際の付勢バネ１１４の動作を説明する図である。図７（ａ）は移動レバー１１３ｄを操作していないときの電池蓋１１０の状態を図３の矢印Ｉ方向から見た図、図７（ｂ）は図７（ａ）のＶ部拡大図、図７（ｃ）は移動レバー１１３ｄを図６の矢印Ｄ方向に操作したときの図７（ａ）のＶ部拡大図である。
【００２６】
図７（ｂ）に示すように、移動レバー１１３ｄを操作していないときの付勢バネ１１４の突出部１１４ｂは、蓋カバー１１０ａに設けられたカム部１１０ｆの始端である第１の位置１１０ｇに当接している。この状態で移動レバー１１３ｄを図６の矢印Ｄ方向に操作すると、付勢バネ１１４の突出部１１４ｂは、図７（ｃ）に示すように、蓋カバー１１０ａのカム部１１０ｆに沿って移動し、カム部１１０ｆの終端である第２の位置１１０ｈに当接する。これにより、第１の回動軸１１３ａが蓋カバー１１０ａに対して突出していない状態でカメラ本体１０１に対する付勢バネ１１４の突出部１１４ｂの係合が解除され、電池蓋１１０をカメラ本体１０１から取り外すことが可能となる。
【００２７】
電池蓋１１０をカメラ本体１０１に取り付ける際には、第１の回動軸１１３ａよりも第２の回動軸１１０ｂが先に取り付けられる。このため、第２の回動軸１１０ｂは、カメラ本体１０１に電池蓋１１０を着脱しやすいように、図６に示すように、軸先端部が先端に向けて次第に縮径するテーパ状に形成されている。
【００２８】
次に、図８及び図９を参照して、電池蓋１１０の一対の回動軸１１３ａ，１１０ｂの保持構造について説明する。図８は、底面カバー１０４に対する押さえ部材１０７の取り付け構造をカメラ本体１０１の内部側から見た分解斜視図である。
【００２９】
図８に示すように、押さえ部材１０７は、カメラ本体１０１の内部側から２本のビス１０８ａ，１０８ｂによって底面カバー１０４に締結される。その際、押さえ部材１０７のカメラ本体１０１の正面側の第１の押さえ部１０７ａは、底面カバー１０４の第１の嵌合穴１０４ａに嵌合される。また、押さえ部材１０７のカメラ本体１０１の背面側の第２の押さえ部１０７ｂは、底面カバー１０４の第２の嵌合穴１０４ｂに嵌合される。
【００３０】
図９は、図２のＱ−Ｑ線断面図である。図９に示すように、第１の回動軸１１３ａ（破線で示す。）は、第１の押さえ部１０７ａと底面カバー１０４の第１の嵌合穴１０４ａにより保持されている。また、図９では、図示は省略するが、第２の回動軸１１０ｂも第１の回動軸１１３ａと同様に、第２の押さえ部１０７ｂと底面カバー１０４の第２の嵌合穴１０４ｂにより保持されている。これにより、カメラ本体１０１の底面カバー１０４に対して、電池蓋１１０が一対の回動軸１１３ａ，１１０ｂを介して開閉方向に回動可能に支持されている。
【００３１】
次に、図１０及び図１１を参照して、電池蓋１１０の開き方向の動作について説明する。図１０（ａ）は電池蓋１１０を取り外した状態をカメラ本体１０１の底面側から見た斜視図、図１０（ｂ）は電池蓋１１０を閉じた状態での図２のＱ−Ｑ線断面図である。
【００３２】
図１０に示すように、底面カバー１０４には、突出部１０４ｃが設けられている。突出部１０４ｃは、電池蓋１１０がカメラ本体１０１に取り付けられた際に、付勢バネ１１４の突出部１１４ｂと当接する。これにより、付勢バネ１１４の付勢力が電池蓋１１０の開き方向に作用する。そして、電池蓋１１０は、付勢バネ１１４の付勢力により、底面カバー１０４に設けられた第１の当接部１０４ｄ及び第２の当接部１０４ｅに当接するまで開き方向に回動して所定の開き角度で停止する。
【００３３】
図１１は、図１（ｂ）のＲ−Ｒ線断面図である。図１１に示すように、付勢バネ１１４は、第１の回動軸１１３ａを底面カバー１０４の第１の側面１０４ｆの方向（Ｆ方向）に付勢し、第２の回動軸１１０ｂをＦ方向と逆方向である底面カバー１０４の第２の側面１０４ｇの方向（Ｈ方向）に付勢する。これにより、第１の回動軸１１３ａが第１の側面１０４ｆに対して軸方向に押し付けられるとともに、第２の回動軸１１０ｂが第２の側面１０４ｇに対して軸方向に押し付けられる。これにより、電池蓋１１０が開き方向に回動する際、第１の回動軸１１３ａと第１の側面１０４ｆとの間、及び第２の回動軸１１０ｂと第２の側面１０４ｇとの間にそれぞれ摩擦力が生じる。
【００３４】
ここで、付勢バネ１１４の電池蓋１１０を開き方向に回動させる付勢力は、第１の回動軸１１３ａと第１の側面１０４ｆとの間、及び第２の回動軸１１０ｂと第２の側面１０４ｇとの間にそれぞれ生じる摩擦力の合計より大きい値に設定されている。このため、電池蓋１１０は、閉じ状態でロックが解除されると、付勢バネ１１４の付勢力により開き方向に回動するが、前述した摩擦力により開き方向の回動速度が減速される。これにより、電池蓋１１０が底面カバー１０４の第１の当接部１０４ｄと第２の当接部１０４ｅに当接して停止する際のバウンドや衝突音を抑制することが可能となる。
【００３５】
以上説明したように、本実施形態では、電池蓋１１０が付勢バネ１１４の付勢力により開き方向に回動して底面カバー１０４の第１の当接部１０４ｄと第２の当接部１０４ｅに当接して停止する際のバウンドや衝突音を抑制することができる。
【００３６】
（第２の実施形態）
次に、図１２を参照して、本発明の電子機器の第２の実施形態であるカメラについて説明する。なお、本実施形態では、上記第１の実施形態と重複する部分については、図及び符号を流用しつつ、相違点についてのみ説明する。図１２は、電池蓋１１０が開き方向に回動して停止した際の状態をカメラ本体１０１の底面側から見た斜視図である。
【００３７】
本実施形態では、電池蓋１１０が当接する底面カバー１０４の第１の当接部１０４ｄと第２の当接部１０４ｅの高さを異ならせている。具体的には、例えば、底面カバー１０４の第１の当接部１０４ｄよりも第２の当接部１０４ｅを高くしている。
【００３８】
このため、電池蓋１１０が開いた際、電池蓋１１０は、第２の当接部１０４ｅに当接した後、第１の当接部１０４ｄに当接する。このとき、図１１に示すように、電池蓋１１０の一対の回動軸１１３ａ，１１０ｂと底面カバー１０４との軸方向の接触面積は、第２の回動軸１１０ｂよりも第１の回動軸１１３ａの方が大きいため、第１の回動軸１１３ａの方が軸端部での摩擦抵抗が大きくなる。また、図３に示すように、第１の回動軸１１３ａは、第２の回動軸１１０ｂより重心Ｇ２に近い位置に配置されているため、電池蓋１１０が開いた際、第２の回動軸１１０ｂを支点として回転方向Ｍに電池蓋１１０が傾く。
【００３９】
この結果として、第１の回動軸１１３ａの軸端部に対して、圧縮バネと捩りバネの機能を有する付勢バネ１１４による軸方向の付勢力が強く作用し、摩擦力が更に大きくなる。そのため、電池蓋１１０が開いた際のバウンドや衝突音をより効果的に抑制することが可能となる。その他の構成、及び作用効果は、上記第１の実施形態と同様である。
【００４０】
（第３の実施形態）
次に、図１３を参照して、本発明の電子機器の第３の実施形態であるカメラについて説明する。なお、本実施形態では、上記第１の実施形態と重複又は相当する部分については、図及び符号を流用しつつ、主に相違点について説明する。
【００４１】
本実施形態では、図１３に示すように、上記第１の実施形態（図３参照）に対して、一対の回動軸１１０ｂ，１１３ａを構成する軸部材１１３の第１の回動軸１１３ａと蓋カバー１１０ａの第２の回動軸１１０ｂとの配置を逆にしている。この場合も、上記第１の実施形態と同様に、電池蓋１１０の重心Ｇ３と一対の回動軸１１０ｂ，１１３ａの中心軸Ｋ３方向の中点Ａ３と間には、軸方向に距離Ｌ３を有している。また、第１の回動軸１１３ａは、カメラ本体１０１に電池蓋１１０を着脱しやすいように、軸先端部が先端に向けて次第に縮径するテーパ状に形成されている。
【００４２】
本実施形態では、電池蓋１１０の重心Ｇ３に近い側の第２の回動軸１１０ｂは、蓋カバー１１０ａと一体で形成されて嵌合ガタがないため、第２の回動軸１１０ｂの先端に生じる摩擦力をより効率良く利用することができる。これにより、電池蓋１１０が開いた際のバウンドや衝突音を効果的に抑制することが可能となる。その他の構成、及び作用効果は、上記第１の実施形態と同様である。
【００４３】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００４４】
１０１  カメラ本体
１０４  底面カバー
１０７  押さえ部材
１１０  電池蓋
１１０ｂ  第２の回動軸
１１３  軸部材
１１３ａ  第１の回動軸
１１４  付勢バネ 
【図１】
2020188492.tif 000003
【図２】
2020188492.tif 000004
【図３】
2020188492.tif 000005
【図４】
2020188492.tif 000006
【図５】
2020188492.tif 000007
【図６】
2020188492.tif 000008
【図７】
2020188492.tif 000009
【図８】
2020188492.tif 000010
【図９】
2020188492.tif 000011
【図１０】
2020188492.tif 000012
【図１１】
2020188492.tif 000013
【図１２】
2020188492.tif 000014
【図１３】
2020188492.tif 000015
【図１４】
2020188492.tif 000016